(57)【要約】非肌側シート（２２）及び肌側シート（２１）を備えた腹側外装部材（２ａ）及び背側外装部材（２ｂ）を有するおむつ（１）であって、非肌側シート（２２）と肌側シート（２１）との間には、弾性部材（４）が縦方向に複数設けられており、腹側外装部材（２ａ）及び背側外装部材（２ｂ）の少なくとも一方について、非肌側シート（２２）及び肌側シート（２１）の少なくとも一方に、複数の切れ目（５）が設けられており、隣り合う第１弾性部材（４１）と第２弾性部材（４２）との間に、第１切れ目（５１）及び第２切れ目（５２）を有し、第１切れ目（５１）と第２切れ目（５２）とが横方向について互いに重複する部分である第１重複部（５ａ）を有し、隣り合う第２弾性部材（４２）と第３弾性部材（４３）との間に、第３切れ目（５３）及び第４切れ目（５４）を有し、第３切れ目（５３）と第４切れ目（５４）とが横方向について互いに重複する部分である第２重複部（５ｂ）を有し、第１重複部（５ａ）と第２重複部（５ｂ）とは、横方向について互いに重複する部分を有する。
2017085804.tif 000002
【特許請求の範囲】
【請求項１】
互いに交差する縦方向と横方向と厚さ方向とを有し、  前記横方向に沿って配置された腹側外装部材と、  前記横方向に沿って配置された背側外装部材と、を有する着用物品であって、  前記腹側外装部材及び前記背側外装部材の各々は、非肌側の非肌側シートと肌側の肌側シートとを備え、  前記非肌側シートと前記肌側シートとの間には、前記横方向に沿った弾性部材が前記縦方向に並んで複数設けられており、  前記腹側外装部材及び前記背側外装部材の少なくとも一方について、前記非肌側シート及び前記肌側シートの少なくとも一方に、前記横方向に所定の長さを有する複数の切れ目が設けられており、  複数の前記弾性部材のうち、前記縦方向に隣り合う第１弾性部材と第２弾性部材との間に、前記第２弾性部材よりも前記第１弾性部材に近い第１切れ目と、前記第１弾性部材よりも前記第２弾性部材に近い第２切れ目とを有し、  前記第１切れ目と前記第２切れ目とが前記横方向について互いに重複する部分である第１重複部を有し、  複数の前記弾性部材のうち、前記縦方向に隣り合う前記第２弾性部材と第３弾性部材との間に、前記第３弾性部材よりも前記第２弾性部材に近い第３切れ目と、前記第２弾性部材よりも前記第３弾性部材に近い第４切れ目とを有し、  前記第３切れ目と前記第４切れ目とが前記横方向について互いに重複する部分である第２重複部を有し、  前記第１重複部と前記第２重複部とは、前記横方向について互いに重複する部分を有する、ことを特徴とする着用物品。
【請求項２】
請求項１に記載の着用物品であって、  前記第１切れ目と前記第２切れ目とが対をなして前記横方向に間隔をとって複数並ぶことにより前記第１重複部が前記横方向に間隔をとって複数配置され、  前記第３切れ目と前記第４切れ目とが対をなして前記横方向に間隔をとって複数並ぶことにより前記第２重複部が前記横方向に間隔をとって複数配置されており、  複数の前記第１重複部と複数の前記第２重複部とはそれぞれ、前記横方向について互いに重複する部分を有する、ことを特徴とする着用物品。
【請求項３】
請求項２に記載の着用物品であって、  前記第１切れ目、前記第２切れ目、前記第３切れ目、及び前記第４切れ目のうち少なくとも１つの前記切れ目において、前記横方向に隣り合う前記切れ目の間の距離は、前記切れ目の前記横方向の長さよりも長い、ことを特徴とする着用物品。
【請求項４】
請求項２又は３に記載の着用物品であって、  前記第１切れ目、前記第２切れ目、前記第３切れ目、及び前記第４切れ目のうち少なくとも１つの前記切れ目において、前記横方向に隣り合う中央切れ目と左側切れ目との間の距離と、前記横方向に隣り合う前記中央切れ目と右側切れ目との間の距離とが異なっている、ことを特徴とする着用物品。
【請求項５】
請求項１〜４のいずれかに記載の着用物品であって、  前記第２切れ目の前記横方向の長さと前記第３切れ目の前記横方向の長さとが同じであり、前記第２切れ目と前記第３切れ目とが前記横方向について一端から他端に亘って重複している、ことを特徴とする着用物品。
【請求項６】
請求項１〜５のいずれかに記載の着用物品であって、  前記第２切れ目と前記第３切れ目との間の距離は、前記第１切れ目と前記第２切れ目との間の距離、及び前記第３切れ目と前記第４切れ目との間の距離よりも短い、ことを特徴とする着用物品。
【請求項７】
請求項１〜６のいずれかに記載の着用物品であって、  前記第１切れ目と前記第２切れ目との間の前記縦方向における距離は、前記第１切れ目の前記横方向の長さ及び前記第２切れ目の前記横方向の長さよりも長く、  前記第３切れ目と前記第４切れ目との間の前記縦方向における距離は、前記第３切れ目の前記横方向の長さ及び前記第４切れ目の前記横方向の長さよりも長い、ことを特徴とする着用物品。
【請求項８】
請求項１〜７のいずれかに記載の着用物品であって、  一端部が前記腹側外装部材に配置され、他端部が前記背側外装部材に配置された帯状の股下部材を備え、  複数の前記切れ目は、前記股下部材の前記一端部及び前記他端部の前記横方向の両側に配置され、かつ前記縦方向において前記一端部及び前記他端部より上方側に配置されていない、ことを特徴とする着用物品。
【請求項９】
請求項１〜８のいずれかに記載の着用物品であって、  前記切れ目は、前記横方向に沿った線状である、ことを特徴とする着用物品。
【請求項１０】
請求項１〜９のいずれかに記載の着用物品であって、  前記切れ目は、前記肌側シート及び前記非肌側シートを前記厚さ方向に貫通している、ことを特徴とする着用物品。
【請求項１１】
請求項１〜１０のいずれかに記載の着用物品であって、  前記腹側外装部材及び前記背側外装部材のうち少なくとも一方は、複数の前記弾性部材が前記横方向に収縮することによって前記肌側に突出する部分及び前記非肌側に突出する部分を有し、  前記第１切れ目、前記第２切れ目、前記第３切れ目、及び前記第４切れ目は、前記非肌側に突出する部分に配置されている、ことを特とする着用物品。
【請求項１２】
請求項１〜１１のいずれかに記載の着用物品であって、  前記肌側シート及び前記非肌側シートのうち少なくとも一方は、着色シートである、ことを特徴とする着用物品。
【発明の詳細な説明】
【技術分野】
【０００１】  本発明は、着用物品に関する。
【背景技術】
【０００２】  従来、着用物品としてパンツ型の使い捨ておむつ等が知られている。例えば、特許文献１には、ウエスト開口縁と一対の脚開口縁とを有するパンツ形状に形成された外装部材、及びウエスト開口縁と脚開口縁との間に位置する胴回り部に幅方向に沿って配置された胴部弾性部材を備えたものが開示されている。【０００３】  外装部材は、着用者の肌側に配置された内側シートと、非肌側に配置された外側シートと、これらのシートの間に配置された中間シートとを有する。外側シートと中間シートとは、胴回り部において、幅方向に複数並んで設けられた接合部で接合されている。胴部弾性部材は、内側シートと中間シートとの間に配置され、かつ接合部が設けられた領域において内側シート及び中間シートの少なくとも一方に接合されている。胴部弾性部材が幅方向に収縮すると、外側シートにおいて、隣り合う接合部の間の領域が非肌側に突出し縦方向に沿った皺（襞）が規則的に形成される。
【先行技術文献】
【特許文献】
【０００４】
【特許文献１】特開２０１５−１０４６０５号公報
【発明の概要】
【発明が解決しようとする課題】
【０００５】  特許文献１に開示されたおむつでは、複数の接合部により外側シートと中間シートとを接合させて縦方向に沿った剛性の高い領域を設けることによって皺を規則的に形成して目立たせていたが、おむつの着用時において、シート部材の材質よりも剛性の高い（硬い）接合部が着用者の肌に触れることにより、着用者は違和感を覚えていた。【０００６】  本発明は、上記のような問題に鑑みてなされたものであって、その目的とするところは、着用者の肌への違和感を抑制しながらも、皺を目立ちやすくすることが可能な着用物品を提供することにある。
【課題を解決するための手段】
【０００７】  上記目的を達成するための主たる発明は、互いに交差する縦方向と横方向と厚さ方向とを有し、前記横方向に沿って配置された腹側外装部材と、前記横方向に沿って配置された背側外装部材と、を有する着用物品であって、前記腹側外装部材及び前記背側外装部材の各々は、非肌側の非肌側シートと肌側の肌側シートとを備え、前記非肌側シートと前記肌側シートとの間には、前記横方向に沿った弾性部材が前記縦方向に並んで複数設けられており、前記腹側外装部材及び前記背側外装部材の少なくとも一方について、前記非肌側シート及び前記肌側シートの少なくとも一方に、前記横方向に所定の長さを有する複数の切れ目が設けられており、複数の前記弾性部材のうち、前記縦方向に隣り合う第１弾性部材と第２弾性部材との間に、前記第２弾性部材よりも前記第１弾性部材に近い第１切れ目と、前記第１弾性部材よりも前記第２弾性部材に近い第２切れ目とを有し、前記第１切れ目と前記第２切れ目とが前記横方向について互いに重複する部分である第１重複部を有し、複数の前記弾性部材のうち、前記縦方向に隣り合う前記第２弾性部材と第３弾性部材との間に、前記第３弾性部材よりも前記第２弾性部材に近い第３切れ目と、前記第２弾性部材よりも前記第３弾性部材に近い第４切れ目とを有し、前記第３切れ目と前記第４切れ目とが前記横方向について互いに重複する部分である第２重複部を有し、前記第１重複部と前記第２重複部とは、前記横方向について互いに重複する部分を有することを特徴とする着用物品である。本発明の他の特徴については、本明細書及び添付図面の記載により明らかにする。
【発明の効果】
【０００８】  本発明によれば、着用者の肌への違和感を抑制しながらも、皺を目立ちやすくすることが可能となる。
【図面の簡単な説明】
【０００９】
【図１】本発明の実施形態に係るおむつの一構成例を示す概略斜視図である。
【図２】展開した状態のおむつを肌側から見た概略平面図である。
【図３】図３Ａは肌側シート及び非肌側シートにおける複数の切れ目の位置関係を説明するための説明図であり、図３Ｂは図３Ａを横方向から見た場合の模式図である。
【図４】図４Ａは弾性部材が横方向に収縮した状態における肌側シート及び非肌側シートの様子を厚さ方向から見た場合の模式図であり、図４Ｂは弾性部材が横方向に収縮した状態における肌側シート及び非肌側シートの様子を縦方向から見た場合の模式図である。
【発明を実施するための形態】
【００１０】  本明細書及び添付図面の記載により、少なくとも以下の事項が明らかとなる。
【００１１】  互いに交差する縦方向と横方向と厚さ方向とを有し、前記横方向に沿って配置された腹側外装部材と、前記横方向に沿って配置された背側外装部材と、を有する着用物品であって、前記腹側外装部材及び前記背側外装部材の各々は、非肌側の非肌側シートと肌側の肌側シートとを備え、前記非肌側シートと前記肌側シートとの間には、前記横方向に沿った弾性部材が前記縦方向に並んで複数設けられており、前記腹側外装部材及び前記背側外装部材の少なくとも一方について、前記非肌側シート及び前記肌側シートの少なくとも一方に、前記横方向に所定の長さを有する複数の切れ目が設けられており、複数の前記弾性部材のうち、前記縦方向に隣り合う第１弾性部材と第２弾性部材との間に、前記第２弾性部材よりも前記第１弾性部材に近い第１切れ目と、前記第１弾性部材よりも前記第２弾性部材に近い第２切れ目とを有し、前記第１切れ目と前記第２切れ目とが前記横方向について互いに重複する部分である第１重複部を有し、複数の前記弾性部材のうち、前記縦方向に隣り合う前記第２弾性部材と第３弾性部材との間に、前記第３弾性部材よりも前記第２弾性部材に近い第３切れ目と、前記第２弾性部材よりも前記第３弾性部材に近い第４切れ目とを有し、前記第３切れ目と前記第４切れ目とが前記横方向について互いに重複する部分である第２重複部を有し、前記第１重複部と前記第２重複部とは、前記横方向について互いに重複する部分を有する着用物品が明らかとなる。
【００１２】  このような着用物品によれば、縦方向において、弾性部材に近い位置に切れ目を有していることから、弾性部材が横方向に収縮すると、弾性部材と切れ目との間において、切れ目が設けられた領域の横方向両側の領域よりも細かい皺が発生するため、皺が目立ちやすくなる。さらに、第１〜第４切れ目が縦方向に並ぶことにより、その領域において皺が綺麗に形成されやすく、また、剛性が弱くなるため、着用者の肌への違和感を抑制することができる。
【００１３】  かかる着用物品であって、前記第１切れ目と前記第２切れ目とが対をなして前記横方向に間隔をとって複数並ぶことにより前記第１重複部が前記横方向に間隔をとって複数配置され、前記第３切れ目と前記第４切れ目とが対をなして前記横方向に間隔をとって複数並ぶことにより前記第２重複部が前記横方向に間隔をとって複数配置されており、複数の前記第１重複部と複数の前記第２重複部とはそれぞれ、前記横方向について互いに重複する部分を有することが望ましい。
【００１４】  このような着用物品によれば、縦方向に第１〜第４切れ目が並んだ領域が横方向に断続的に並ぶことにより、弾性部材が横方向に収縮した際に、複数の皺が規則的に形成されて、皺がより目立ちやすくなる。
【００１５】  かかる着用物品であって、前記第１切れ目、前記第２切れ目、前記第３切れ目、及び前記第４切れ目のうち少なくとも１つの前記切れ目において、前記横方向に隣り合う前記切れ目の間の距離は、前記切れ目の前記横方向の長さよりも長いことが望ましい。
【００１６】  このような着用物品によれば、横方向に隣り合う切れ目が設けられた領域の間において、切れ目が設けられていない領域を確保することにより、着用物品を足元から股下側へ引き上げる際に加わる力によって切れ目が引き裂かれてしまうことを抑制し、腹側外装部材及び背側外装部材の強度を維持することが可能となる。
【００１７】  かかる着用物品であって、前記第１切れ目、前記第２切れ目、前記第３切れ目、及び前記第４切れ目のうち少なくとも１つの前記切れ目において、前記横方向に隣り合う中央切れ目と左側切れ目との間の距離と、前記横方向に隣り合う前記中央切れ目と右側切れ目との間の距離とが異なっていることが望ましい。
【００１８】  このような着用物品によれば、横方向に並ぶ切れ目の間隔が等間隔ではないため、弾性部材が収縮することにより厚さ方向に突出した部分（皺）に切れ目が位置している確率が増え、切れ目の視認性を向上することができる。
【００１９】  かかる着用物品であって、前記第２切れ目の前記横方向の長さと前記第３切れ目の前記横方向の長さとが同じであり、前記第２切れ目と前記第３切れ目とが前記横方向について一端から他端に亘って重複していることが望ましい。
【００２０】  このような着用物品によれば、第２弾性部材が収縮した際に、第２弾性部材と第２切れ目との間に生じる皺、及び第２弾性部材と第３切れ目との間に生じる皺が、横方向について完全に重複するため、皺の横方向の領域が増えて、皺がより目立ちやすくなる。
【００２１】  かかる着用物品であって、前記第２切れ目と前記第３切れ目との間の距離は、前記第１切れ目と前記第２切れ目との間の距離、及び前記第３切れ目と前記第４切れ目との間の距離よりも短いことが望ましい。
【００２２】  このような着用物品によれば、弾性部材により近い位置に切れ目を有することによって弾性部材と切れ目との間の領域が狭くなるため、弾性部材の力が当該領域に作用しやすくなり、より細かい皺が発生して皺が目立ちやすくなる。
【００２３】  かかる着用物品であって、前記第１切れ目と前記第２切れ目との間の前記縦方向における距離は、前記第１切れ目の前記横方向の長さ及び前記第２切れ目の前記横方向の長さよりも長く、前記第３切れ目と前記第４切れ目との間の前記縦方向における距離は、前記第３切れ目の前記横方向の長さ及び前記第４切れ目の前記横方向の長さよりも長いことが望ましい。
【００２４】  このような着用物品によれば、第１切れ目と第２切れ目とによって縦方向に挟まれた領域、及び第３切れ目と第４切れ目とによって挟まれた領域がそれぞれ、縦長の長方形状となるため、弾性部材が横方向に収縮して各領域全体が厚さ方向に突出した際に、縦方向に沿った皺が形成されやすくなる。
【００２５】  かかる着用物品であって、一端部が前記腹側外装部材に配置され、他端部が前記背側外装部材に配置された帯状の股下部材を備え、複数の前記切れ目は、前記股下部材の前記一端部及び前記他端部の前記横方向の両側に配置され、かつ前記縦方向において前記一端部及び前記他端部より上方側に配置されていないことが望ましい。
【００２６】  このような着用物品によれば、蒸れやすい股下部材の横方向の両側に複数の切れ目が配置されているため、切れ目を介して蒸れを逃がし易くなると共に、着用時において着用者が引っ張る部分である股下部材の上方側に複数の切れ目が配置されていないため、当該上方側の強度を維持することができる。
【００２７】  かかる着用物品であって、前記切れ目は、前記横方向に沿った線状であることが望ましい。
【００２８】  このような着用物品によれば、切れ目が横方向に沿った線状であることから、弾性部材が横方向に収縮した際に切れ目が縦方向に開口し易く、切れ目の視認性が向上する。
【００２９】  かかる着用物品であって、前記切れ目は、前記肌側シート及び前記非肌側シートを前記厚さ方向に貫通していることが望ましい。
【００３０】  このような着用物品によれば、切れ目が肌側シート及び非肌側シートを厚さ方向に貫通することにより、切れ目を介して着用者の肌を視認することができ、切れ目の視認性がより向上する。
【００３１】  かかる着用物品であって、前記腹側外装部材及び前記背側外装部材のうち少なくとも一方は、複数の前記弾性部材が前記横方向に収縮することによって前記肌側に突出する部分及び前記非肌側に突出する部分を有し、前記第１切れ目、前記第２切れ目、前記第３切れ目、及び前記第４切れ目は、前記非肌側に突出する部分に配置されていることが望ましい。
【００３２】  このような着用物品によれば、腹側外装部材及び背側外装部材のうち少なくとも一方において、複数の弾性部材が横方向に収縮した際に非肌側に突出する部分に第１〜第４切れ目が配置されていることにより、第１〜第４切れ目の開口が外部から見やすくなり、第１〜第４切れ目の視認性を向上することができる。
【００３３】  かかる着用物品であって、前記肌側シート及び前記非肌側シートのうち少なくとも一方は、着色シートであることが望ましい。
【００３４】  このような着用物品によれば、着色シートを用いることにより陰影がつきやすくなるため、皺や切れ目がより目立ちやすくなる。
【００３５】＝＝＝実施形態＝＝＝  本発明の実施形態に係る着用物品の一例として、使い捨ておむつ１（以下では単におむつ１とする）について説明する。
【００３６】＜おむつ１の構成＞  まず、おむつ１の構成について、図１及び図２を参照して説明する。
【００３７】  図１は、実施形態に係るおむつ１の一構成例を示す概略斜視図である。図２は、展開した状態のおむつ１を肌側から見た概略平面図である。
【００３８】  おむつ１は、互いに交差する縦方向と横方向と厚さ方向とを有している。縦方向のうち、着用者の胴側を上側（上方）とし、着用者の股下側を下側（下方）とする。また、厚さ方向のうち、着用者の肌と接する側を「肌側」とし、その反対側を「非肌側」とする。
【００３９】  本実施形態に係るおむつ１は、図１に示すように、着用者の腹側に配置される腹側外装部材２ａと、着用者の背側に配置される背側外装部材２ｂと、帯状の股下部材３とを備えた、いわゆる３ピースタイプのおむつである。図２に示すように、股下部材３は、長手方向の一端部３ａが腹側外装部材２ａに配置され、他端部３ｂが背側外装部材２ｂに配置されており、尿等の液体を吸収する吸収体３０を内部に備えている。なお、図１では、吸収体３０を二点鎖線で示している。
【００４０】  おむつ１を展開した状態において、腹側外装部材２ａ及び背側外装部材２ｂはそれぞれ平面視長方形状であり、横方向に長辺を有している。股下部材３の長手方向の略中央部分を起点として、腹側外装部材２ａと背側外装部材２ｂとが対向するように折り、腹側外装部材２ａの横方向の両端部２０ａと背側外装部材２ｂの横方向の両端部２０ｂとを接合させる。これにより、図１に示すように、着用状態のおむつ１の横方向の両端部に接合部２０が形成されて、環状の胴回り開口１ａ及び一対の脚回り開口１ｂが形成される。
【００４１】  腹側外装部材２ａ及び背側外装部材２ｂはそれぞれ、肌側に位置する肌側シート２１と、非肌側に位置する非肌側シート２２とを備えている（図１及び図３Ｂ参照）。肌側シート２１及び非肌側シート２２はそれぞれ、平面視において横方向に長辺を有する長方形状であり、例えば不織布等の柔軟な部材により形成されている。本実施形態では、肌側シート２１及び非肌側シート２２のうち少なくとも一方が着色シートであるが、必ずしも着色シートを用いる必要はない。
【００４２】  肌側シート２１と非肌側シート２２との間には、横方向に沿った弾性部材４が縦方向に並んで複数設けられている。本実施形態では、弾性部材４は断面が円形状の糸ゴムであるが（図３Ｃ参照）、弾性部材４は必ずしも糸ゴムである必要はなく、横方向に伸縮可能な弾性部材であればよい。なお、複数の弾性部材４を、図１では破線で、図２では一点鎖線でそれぞれ示している。
【００４３】  本実施形態では、腹側外装部材２ａ及び背側外装部材２ｂのそれぞれについて、肌側シート２１及び非肌側シート２２のそれぞれに、横方向に所定の長さを有する複数の切れ目５が設けられている。なお、必ずしも腹側外装部材２ａ及び背側外装部材２ｂの両方について、肌側シート２１及び非肌側シート２２の両方に複数の切れ目５が設けられている必要はなく、すなわち、腹側外装部材２ａ及び背側外装部材２ｂの少なくとも一方について、肌側シート２１及び非肌側シート２２の少なくとも一方に、複数の切れ目５が設けられていればよい。
【００４４】  図２に示すように、腹側外装部材２ａにおいて、複数の切れ目５は、股下部材３の一端部３ａの横方向の両側に配置され、かつ縦方向において一端部３ａより上方側に配置されていない。ここで、「縦方向において一端部３ａより上方側」とは、腹側外装部材２ａの縦方向において一端部３ａの先端３００ａの位置よりも上方側の領域、より具体的には、先端３００ａ及び先端３００ａから横方向に延びる仮想線を引いた位置よりも縦方向の上方側の領域を示す。
【００４５】  これにより、おむつ１の着用時において蒸れやすい股下部材３の横方向の両側に複数の切れ目５が配置されているため、複数の切れ目５を介してより多くの空気を通して蒸れを逃がし、通気性を向上させることができる。また、おむつ１の縦方向において、股下部材３の一端部３ａより上方側は、おむつ１を着用する際に着用者が胴回り側に向かっておむつ１を引っ張り上げるために触れる部分となる。当該部分に複数の切れ目５が配置されていないことから、当該部分の強度を維持することが可能となり、おむつ１を引っ張り上げる際に腹側外装部材２ａが破れてしまうといった事態を抑制することができる。
【００４６】  本実施形態では、図２に示すように、背側外装部材２ｂにおいて、複数の切れ目５は、股下部材３の他端部３ｂの横方向の両側に配置され、かつ縦方向において他端部３ｂより上方側にも配置されているが、縦方向において他端部３ｂより上方側に配置されていなくともよい。なお、複数の切れ目５は、必ずしも図２に示すような配置構成になっている必要はない。
【００４７】  図２における部分拡大図に示すように、複数の切れ目５はそれぞれ、弾性部材４に寄った位置に配置されている。また、少なくとも股下部材３の一端部３ａ及び他端部３ｂの横方向の両側では、一端部３ａ及び他端部３ｂより上方側よりも、複数の弾性部材４が密に配置されているため、おむつ１の着用時において、複数の切れ目５が着用者の脚回り側に密に配置される。これにより、脚回り部分における肌側外装部材２ａ及び背側外装部材２ｂの剛性が低くなり、柔軟性が向上すると共に、通気性が向上する。よって、脚回りにおける締め付けや蒸れを抑制することができる。なお、必ずしも着用者の脚回り側において複数の切れ目５が密に配置されている必要はない。
【００４８】＜複数の弾性部材４と複数の切れ目５との関係＞  次に、複数の弾性部材４と複数の切れ目５との関係について、図３Ａ及び図３Ｂならびに図４Ａ及び図４Ｂを参照して説明する。
【００４９】  図３Ａは、肌側シート２１及び非肌側シート２２における複数の切れ目５の位置関係を説明するための説明図であり、図３Ｂは、図３Ａを横方向から見た場合の模式図である。図４Ａは、弾性部材４が横方向に収縮した状態における肌側シート２１及び非肌側シート２２の様子を厚さ方向から見た場合の模式図であり、図４Ｂは、弾性部材４が横方向に収縮した状態における肌側シート２１及び非肌側シート２２の様子を縦方向から見た場合の模式図である。
【００５０】  なお、複数の弾性部材４のうちの一部である第１弾性部材４１、第２弾性部材４２、及び第３弾性部材４３を、複数の切れ目５のうちの一部である第１切れ目５１、第２切れ目５２、第３切れ目５３、及び第４切れ目５４を、それぞれ例に挙げて以下説明する。
【００５１】  複数の弾性部材４のうち、縦方向に隣り合う第１弾性部材４１と第２弾性部材４２との間に、第１切れ目５１及び第２切れ目５２を有している。第１切れ目５１は第２弾性部材４２よりも第１弾性部材４１に近い位置に配置され、第２切れ目５２は第１弾性部材４１よりも第２弾性部材４２に近い位置に配置されている。すなわち、第１切れ目５１は第１弾性部材４１に寄った位置に、第２切れ目５２は第２弾性部材４２に寄った位置に、それぞれ配置されている。
【００５２】  図３Ａに示すように、本実施形態では、第１切れ目５１と第１弾性部材４１との間の距離ｈ１及び第２切れ目５１と第２弾性部材４２との間の距離ｈ１は、第１切れ目５１と第２切れ目５２との間の距離ｈ２よりも短い（ｈ１＜ｈ２）。したがって、第１切れ目５１は第１弾性部材４１により近い位置に、第２切れ目５２は第２弾性部材４２により近い位置に、それぞれ設けられている。
【００５３】  図３Ａに示すように、第１切れ目５１と第２切れ目５２とは、横方向について互いに重複する部分である第１重複部５ａを有している。本実施形態では、第１切れ目５１の横方向の長さと第２切れ目５２の横方向の長さとが同じであり、かつ第１切れ目５１と第２切れ目５２とは、横方向について一端から他端に亘って第１重複部５ａを有している。なお、第１重複部５ａは、必ずしも第１切れ目５１及び第２切れ目５２の横方向の一端から他端に亘って重複している必要はない。
【００５４】  また、複数の弾性部材４のうち、縦方向に隣り合う第２弾性部材４２と第３弾性部材４３との間に、第３切れ目５３及び第４切れ目５４を有している。第３切れ目５３は第４弾性部材４４よりも第３弾性部材４３に近い位置に配置され、第４切れ目５４は第３弾性部材４３よりも第４弾性部材４４に近い位置に配置されている。すなわち、第３切れ目５３は第２弾性部材４２に寄った位置に、第４切れ目５４は第３弾性部材４３に寄った位置に、それぞれ配置されている。第２切れ目５２と第３切れ目５３とは、上下方向（縦方向）から第２弾性部材４２を挟むように位置している。
【００５５】  図３Ａに示すように、本実施形態では、第３切れ目５３と第２弾性部材４２との間の距離ｈ３及び第４切れ目５４と第３弾性部材４３との間の距離ｈ３は、第３切れ目５３と第４切れ目５４との間の距離ｈ４よりも短い（ｈ３＜ｈ４）。したがって、第３切れ目５３は第２弾性部材４２により近い位置に、第４切れ目５４は第３弾性部材４２により近い位置に、それぞれ設けられている。
【００５６】  さらに、第１切れ目５１と第１弾性部材４１との間の距離ｈ１及び第２切れ目５１と第２弾性部材４２との間の距離ｈ１と、第３切れ目５３と第２弾性部材４２との間の距離ｈ３及び第４切れ目５４と第３弾性部材４３との間の距離ｈ３とが同じ距離であると共に（ｈ１＝ｈ３）、第１切れ目５１と第２切れ目５２との間の距離ｈ２と、第３切れ目５３と第４切れ目５４との間の距離ｈ４とが同じ距離である（ｈ２＝ｈ４）。また、第２切れ目５２と第３切れ目５３との間の距離（ｈ１＋ｈ３）は、第１切れ目５１と第２切れ目５２との間の距離ｈ２及び第１切れ目５１と第２切れ目５２との間の距離ｈ４よりも短い（ｈ１＋ｈ３＜ｈ２＝ｈ４）。
【００５７】  なお、ｈ１、ｈ２、ｈ３、及びｈ４の関係は必ずしも前述の通りである必要はなく、第１弾性部材４１と第２弾性部材４２との間に第１切れ目５１及び第２切れ目５２が設けられていればよく、第２弾性部材４２と第３弾性部材４３との間に第３切れ目５３及び第４切れ目５４が設けられていればよい。
【００５８】  第３切れ目５３と第４切れ目５４とは、第１切れ目５１及び第２切れ目５２と同様に、横方向について互いに重複する部分である第２重複部５ｂを有している。本実施形態では、第３切れ目５３の横方向の長さと第４切れ目５４の横方向の長さとが同じであるため、第３切れ目５３と第４切れ目５４とは、横方向について一端から他端に亘って第２重複部５ｂを有している。なお、第２重複部５ｂは、第１重複部５ａと同様に、必ずしも第３切れ目５３及び第４切れ目５４の横方向の一端から他端に亘って重複している必要はない。
【００５９】  第１重複部５ａと第２重複部５ｂとは横方向について互いに重複する部分を有しており、第１切れ目５１、第２切れ目５２、第３切れ目５３、及び第４切れ目５４は縦方向に並んで配置されている。ここで、第１切れ目５１、第２切れ目５２、第３切れ目５３、及び第４切れ目５４が設けられた縦方向に沿った領域を領域Ｓとする。
【００６０】  本実施形態では、第２切れ目５２の横方向の長さと第３切れ目５３の横方向の長さが同じであるため、第１切れ目５１、第２切れ目５２、第３切れ目５３、及び第４切れ目５４は、横方向の長さが全て同じである（図３ＡにおいてＬで示す）。そして、第２切れ目５２と第３切れ目５３とが横方向について一端から他端に亘って重複していることから、第１重複部５ａと第２重複部５ｂとが横方向の全体に亘って互いに重複している。したがって、第１切れ目５１、第２切れ目５２、第３切れ目５３、及び第４切れ目５４は縦方向に整列して並んでおり、領域Ｓは縦方向に細長い長方形状の領域となっている。
【００６１】  なお、必ずしも第１切れ目５１、第２切れ目５２、第３切れ目５３、及び第４切れ目５４が縦方向に整列して並んでいる必要はなく、少なくとも第１重複部５ａと第２重複部５ｂとが横方向について互いに重複する部分を有していれば、第１切れ目５１、第２切れ目５２、第３切れ目５３、及び第４切れ目５４が横方向にずれて配置されていてもよい。
【００６２】  肌側外装部材２ａ及び非肌側外装部材２ｂにおいて、図４Ａ及び図４Ｂに示すように、第１弾性部材４１、第２弾性部材４２、及び第３弾性部材４３がそれぞれ横方向に収縮すると、肌側シート２１及び非肌側シート２２が横方向に収縮して、厚さ方向に突出する部分、すなわち皺が形成される。
【００６３】  具体的には、肌側外装部材２ａ及び非肌側外装部材２ｂは、第１弾性部材４１、第２弾性部材４２、及び第３弾性部材４３がそれぞれ横方向に収縮することにより、厚さ方向の肌側に突出する部分（肌側に突出する皺）及び非肌側に突出する部分（非肌側に突出する皺）を有している。図４Ｂに示すように、肌側に突出する部分と非肌側に突出する部分とは、横方向に交互に並ぶように形成されやすい。
【００６４】  このとき、図４Ａに示すように、第１切れ目５１、第２切れ目５２、第３切れ目５３、及び第４切れ目５４はそれぞれ、横方向の両端が互いに接近して中央部分が縦方向に広がることにより開口する。本実施形態では、図３Ａに示すように、第１切れ目５１、第２切れ目５２、第３切れ目５３、及び第４切れ目５４はそれぞれ、横方向に沿った線状であるため、縦方向に広がって開口しやすくなり、視認性を向上させている。
【００６５】  また、図３Ｂに示すように、第１切れ目５１、第２切れ目５２、第３切れ目５３、及び第４切れ目５４（切れ目５）は、肌側シート２１及び非肌側シート２２を厚さ方向に貫通しているため、第１切れ目５１、第２切れ目５２、第３切れ目５３、及び第４切れ目５４（切れ目５）の開口を介して着用者の肌を視認することができ、切れ目５の視認性をより向上させている。
【００６６】  なお、第１切れ目５１、第２切れ目５２、第３切れ目５３、及び第４切れ目５４（切れ目５）は、必ずしも横方向に沿った線状である必要はなく、肌側シート２１及び非肌側シート２２を厚さ方向に貫通している必要もない。
【００６７】  これら開口の周縁では肌側シート２１及び非肌側シート２２の剛性が低くなることにより、第１弾性部材４１と第１切れ目５１との間、第２弾性部材４２と第２切れ目５２との間、第２弾性部材４２と第２切れ目５２との間、及び第３弾性部材４３と第４切れ目５４との間においてそれぞれ、細かい皺が発生しやすくなる。
【００６８】  さらに、第１切れ目５１が第１弾性部材４１により近い位置に、第２切れ目５２及び第３切れ目５３が第２弾性部材４２により近い位置に、第４切れ目５４が第３弾性部材４３により近い位置に、それぞれ設けられているため、第１切れ目５１と第１弾性部材４１との間、第２切れ目５２と第２弾性部材４２との間、第３切れ目５３と第２弾性部材４２との間、及び第４切れ目５４と第３弾性部材４３との間における縦方向の領域がそれぞれより狭くなるため、第１弾性部材４１、第２弾性部材４２、及び第３弾性部材４３の力が各領域に作用しやすくなり、より細かい皺が発生して皺が目立ちやすくなる。
【００６９】  また、領域Ｓにおいて細かい皺が発生する領域が縦方向に複数並ぶため、縦方向に沿った皺が綺麗に形成されやすくなり、皺を目立ちやすくすることができる。そして、前述したように、本実施形態では、肌側シート２１及び非肌側シート２２のうち少なくとも一方が着色シートであるため、陰影がつきやすく、皺や第１切れ目５１、第２切れ目５２、第３切れ目５３、及び第４切れ目５４（切れ目５）がより目立ちやすくなっている。なお、より明確に陰影をつけるためには、当該着色シートは濃い色の方が望ましい。
【００７０】  領域Ｓでは、第１切れ目５１、第２切れ目５２、第３切れ目５３、及び第４切れ目５４が設けられていることによって、領域Ｓの横方向の両側に位置する領域Ｆ（第１切れ目５１、第２切れ目５２、第３切れ目５３、及び第４切れ目５４が設けられていない領域）よりも剛性が低くなり、着用者の肌への違和感を抑制することが可能である。
【００７１】  本実施形態では、第２弾性部材４２と第２切れ目５２との間に形成された皺、及び第２弾性部材４２と第３切れ目５３との間に形成された皺、すなわち、縦方向に第２弾性部材４２を間に挟むように形成された皺が横方向について完全に重複するため、第２弾性部材４２の近くに形成される２つの皺の重複部分の横方向における領域が増えて、皺をより目立ちやすくすることができる。
【００７２】  また、第１切れ目５１と第２切れ目５２との間の縦方向における距離ｈ２、及び第３切れ目５３と第４切れ目５４との間の縦方向における距離ｈ３はそれぞれ、第１切れ目５１、第２切れ目５２、第３切れ目５３、及び第４切れ目５４の横方向の長さＬよりも長い（ｈ２＝ｈ３＞Ｌ）。
【００７３】  なお、本実施形態では、第１切れ目５１と第２切れ目５２との間の縦方向における距離ｈ２と、第３切れ目５３と第４切れ目５４との間の縦方向における距離ｈ３とが同じであるため、ｈ２＝ｈ３＞Ｌとなっているが、少なくとも、第１切れ目５１と第２切れ目との縦方向における距離ｈ２が第１切れ目５１及び第２切れ目５２の横方向の長さＬよりも長く（ｈ２＞Ｌ）、第３切れ目５３と第４切れ目５４との間の縦方向の長さｈ３が第３切れ目５３及び第４切れ目５４の横方向の長さＬよりも長ければよい（ｈ３＞Ｌ）。
【００７４】  これにより、第１切れ目５１と第２切れ目５２とによって縦方向に挟まれた領域５０ａ、及び第３切れ目５３と第４切れ目５４とによって縦方向に挟まれた領域５０ｂがそれぞれ、縦方向に細長い長方形状となるため、第１弾性部材４１、第２弾性部材４２、及び第３弾性部材４３がそれぞれ横方向に収縮すると領域５０ａ，５０ｂ全体が厚さ方向に突出し、縦方向に沿った皺が形成されやすくなる。
【００７５】  なお、本実施形態では、第１切れ目５１と第２切れ目５２との間の距離ｈ２と、第３切れ目５３と第４切れ目５４との間の距離ｈ３とは同じ距離である（ｈ２＝ｈ３）ため、第１切れ目５１と第２切れ目５２とによって縦方向に挟まれた領域５０ａと、第３切れ目５３と第４切れ目５４とによって縦方向に挟まれた領域５０ｂとが同じ領域を有しているが、必ずしも同じである必要はない。
【００７６】  次に、第１切れ目５１、第２切れ目５２、第３切れ目５３、及び第４切れ目５４の横方向における位置関係について説明する。図３Ａに示すように、おむつ１では、第１切れ目５１と第２切れ目５２とが対をなして横方向に間隔をとって複数並ぶことにより第１重複部５ａが横方向に間隔をとって複数配置されると共に、第３切れ目５３と第４切れ目５４とが対をなして横方向に間隔をとって複数並ぶことにより第２重複部５ｂが横方向に間隔をとって複数配置されている。複数の第１重複部５ａと複数の第２重複部５ｂとはそれぞれ、横方向について互いに重複する部分を有している。したがって、領域Ｓと領域Ｆとは横方向に交互に並んで配置されている。このように、領域Ｓが横方向に断続的に並ぶことによって複数の皺が横方向に規則的に並んで形成され、皺をより目立ちやすくすることができる。
【００７７】  複数の切れ目５は、第１切れ目５１、第２切れ目５２、第３切れ目５３、及び第４切れ目５４を最小単位とする組が、縦方向及び横方向にそれぞれ複数組並ぶことにより構成されている。
【００７８】  図３Ａにおいて、横方向に並ぶ複数の第１切れ目５１のうち、左端の第１切れ目５１を左側第１切れ目５１ｂ、左から２番目の第１切れ目５１を中央第１切れ目５１ａ、右から２番目の第１切れ目５１を右側第１切れ目５１ｃとした場合、横方向に隣り合う中央第１切れ目５１ａと左側第１切れ目５１ｂとの間の距離Ｗ１と、横方向に隣り合う中央第１切れ目５１ａと右側第１切れ目５１ｃとの間の距離Ｗ２とが異なるように、複数の第１切れ目５１が配置されている。
【００７９】  なお、本実施形態では、中央第１切れ目５１ａと左側第１切れ目５１ｂとの間の距離Ｗ１は、中央第１切れ目５１ａと右側第１切れ目５１ｃとの間の距離Ｗ２よりも短い（Ｗ１＜Ｗ２）が、必ずしもＷ１＜Ｗ２である必要はなく、Ｗ１≠Ｗ２であればよい。
【００８０】  弾性部材４の横方向への収縮に伴って肌側シート２１及び非肌側シート２２が横方向に収縮して厚さ方向の肌側及び非肌側に突出した際、仮に、横方向に等間隔に並んだ複数の第１切れ目５１が厚さ方向に突出していない部分に位置している場合には、複数の第１切れ目５１は皺の間に入り込んで外部から見づらくなってしまう。
【００８１】  しかしながら、横方向に並ぶ複数の第１切れ目５１の間隔が等間隔ではない場合には、図４Ｂに示すように、厚さ方向に突出した部分（皺）に第１切れ目５１が位置する確率が増すため、複数の第１切れ目５１の視認性を向上させることができる。なお、複数の第２切れ目５２、複数の第３切れ目５３、及び複数の第４切れ目５４についても同様である。
【００８２】  図４Ｂに示すように、腹側外装部材２ａ及び非肌側外装部材２ｂにおいてそれぞれ、第１切れ目５１、第２切れ目５２、第３切れ目５３、及び第４切れ目５４の開口状態を外部から見やすくして視認性を向上させるためには、第１切れ目５１、第２切れ目５２、第３切れ目５３、及び第４切れ目５４は、非肌側に突出する部分に配置されていることがより望ましい。
【００８３】  また、第１切れ目５１、第２切れ目５２、第３切れ目５３、及び第４切れ目５４のそれぞれにおいて、横方向に隣り合う切れ目の間の距離Ｗ１、Ｗ２は、第１切れ目５１、第２切れ目５２、第３切れ目５３、及び第４切れ目５４それぞれの横方向の長さＬよりも長い（Ｗ１＞ＬかつＷ２＞Ｌ）。すなわち、領域Ｆの横方向の幅が領域Ｓの横方向の幅よりも広い。
【００８４】  このように、第１切れ目５１、第２切れ目５２、第３切れ目５３、及び第４切れ目５４が設けられていない領域Ｆを、第１切れ目５１、第２切れ目５２、第３切れ目５３、及び第４切れ目５４が設けられている領域Ｓよりも横方向の幅を広く確保することにより、おむつ１を着用する際、足元から股下側へ引き上げるときに加わる力によって第１切れ目５１、第２切れ目５２、第３切れ目５３、及び第４切れ目５４が引き裂かれてしまうことを抑制し、腹側シート２１及び背側シート２２の強度、ひいては腹側外装部材２ａ及び背側外装部材２ｂの強度を維持することが可能となる。
【００８５】＝＝＝その他＝＝＝  上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００８６】  上記の実施形態では、腹側外装部材２ａ、背側外装部材２ｂ、及び股下部材３の３部品から構成される所謂３ピースタイプのおむつについて説明をしたが、必ずしも３ピースタイプのおむつに限る必要はなく、また必ずしもおむつである必要もない。
【符号の説明】
【００８７】１…おむつ（着用物品）２ａ…腹側外装部材２ｂ…背側外装部材３…股下部材３ａ…一端部３ｂ…他端部４…弾性部材５…切れ目５ａ，５ｂ…第１及び第２重複部２１…肌側シート２２…非肌側シート４１〜４３…第１〜第３弾性部材５１〜５４…第１〜第４切れ目５１ａ…中央第１切れ目（中央切れ目）５１ｂ…左側第１切れ目（左側切れ目）５１ｃ…右側第１切れ目（右側切れ目）
【図１】
2017085804.tif 000003
【図２】
2017085804.tif 000004
【図３】
2017085804.tif 000005
【図４】
2017085804.tif 000006
【国際調査報告】
2017085804.tif 000007
2017085804.tif 000008
2017085804.tif 000009
2017085804.tif 000010